(57)【要約】【課題】  従来、記録形式をＪＰＥＧにして記録した場合、被写体によっては白とび・黒潰れ現象などを起こすことがあり失敗写真が出来ることがあった。ＲＡＷ記録すれば後処理などでこれら失敗写真を救済することが出来るが、一々ユーザーが１ショットごとにＲＡＷに切り替えることは煩雑だった。【解決手段】  記録形式を使用者が選択可能な記録形式選択手段、撮影時情報から、記録形式として適している形式を判定する判定手段、該記録形式選択手段の選択結果と該判定手段の判定結果により、該デジタルカメラの記録形式を決定する決定手段、を持つことを特徴とする撮影、記録が可能なデジタルカメラ。【選択図】  図１
2011044803.tif 000002
【特許請求の範囲】
【請求項１】
撮像した画像データを複数の記録形式で記録可能な撮像装置であって、
被写体像を撮像し、画像データを取得する撮像手段と、
前記撮像手段の撮像条件を測定する測定手段と、
前記測定手段の測定結果に基づいて前記撮像条件で前記撮像手段に撮像される画像データが危険であるか否かを判定する判定手段と、
前記判定手段により前記撮像手段に撮像される画像データが危険であると判定された場合、前記複数の記録形式から非現像の記録形式を選択する選択手段と、
前記選択手段により選択された記録形式で画像データを記録する記録手段と、を有することを特徴とする撮像装置。
【請求項２】
前記測定手段により測定される撮像条件は、被写体情報または露出制御値情報であることを特徴とする請求項１に記載の撮像装置。
【請求項３】
前記被写体情報とは、前記撮像素子の出力に基づいて得られる前記画像データのヒストグラム、前記画像データのシーン認識の認識結果のうちの少なくとも１つを含み、
前記露出制御値情報とは、前記測光センサーの出力に基づいて得られる前記画像データの絞り値、シャッタースピード、ＩＳＯ感度のうちの少なくとも１つを含むことを特徴とする請求項２に記載の撮像装置。
【請求項４】
前記判定手段は、前記画像データを現像した画像中に、白とび若しくは黒潰れの画素が含まれる割合、単一色の画素が含まれる割合、フリッカ性のある光源の下での撮影によって得られるものであるか否か、のうちの少なくとも１つを検出することで前記画像データが危険であるか否かを判定することを特徴とする請求項１乃至３のいずれか１つに記載の撮像装置。
【請求項５】
前記撮像手段に撮像される画像データを逐次現像し、表示画面に表示する表示手段を有し、
前記表示手段は、前記選択手段による選択結果を前記表示画面に表示することを特徴とする請求項１乃至４のいずれか１つに記載の撮像装置。
【請求項６】
ユーザにより前記記録手段の記録形式を設定可能とする設定手段を有し、
前記選択手段は、前記判定手段により前記撮像手段に撮像される画像データが危険であると判定された場合、非現像の記録形式を選択し、
前記記録手段は、前記設定手段により設定された記録形式に加えて前記選択手段により選択された記録形式で前記画像データを記録することを特徴とする請求項１乃至５のいずれか１つに記載の撮像装置。
【請求項７】
前記選択手段は、現像された画像データを記録する記録形式と、非現像の画像データを記録する記録形式を含むことを特徴とする請求項１乃至６のいずれか１つに記載の撮像装置。
【請求項８】
前記非現像の記録形式とは、ＲＡＷであることを特徴とする請求項１乃至７のいずれか１つに記載の撮像装置。
【請求項９】
前記現像された記録形式とは、ＪＰＥＧまたはＴＩＦＦであることを特徴とする請求項１乃至８のいずれか１つに記載の撮像装置。
【請求項１０】
被写体像を撮像し、画像データを取得する撮像手段と、
前記撮像手段の撮像条件を測定する測定手段と、
を有する撮像装置の制御方法であって、
前記判定手段により前記撮像手段に撮像される画像データが危険であると判定された場合、前記複数の記録形式から非現像の記録形式を選択する選択ステップと、
前記選択手段により選択された記録形式で記録手段に画像データを記録させる記録ステップと、を有することを特徴とする撮像装置の制御方法。
【請求項１１】
請求項１０に記載の撮像装置の制御方法の手順が記述されたコンピュータで実行可能なプログラム。
【請求項１２】
請求項１０に記載の撮像装置の制御方法の手順が記述されたプログラムが記憶されたコンピュータが読み取り可能な記録媒体。
【発明の詳細な説明】
【技術分野】
【０００１】
本発明は、デジタルカメラ等の撮像装置の記録形式の選択に関する。
【背景技術】
【０００２】
従来、特許文献１（第４頁、図１）のように、ダイレクトキー１３を一度押下することにより、記録形式がＲＡＷとＪＰＥＧ形式の両方で記録されるような撮像装置が提案されている。
【先行技術文献】
【特許文献】
【０００３】
【特許文献１】特開２００８−０７２２７０号公報
【発明の概要】
【発明が解決しようとする課題】
【０００４】
しかし、特許文献１の装置において、記録形式の切り替えは使用者の操作に拠るものであり、被写体などに応じていちいち切り替えるなどの操作を行うのは煩雑である。
【０００５】
上記課題に鑑み、本発明はユーザーが撮影の度毎に被写体などに応じて記録形式の変更を行う必要なく、適切な記録形式を選択する撮像装置及び撮像装置の制御方法に関する。
【課題を解決するための手段】
【０００６】
上記課題を解決するために、本発明は、請求項１に記載の通り、撮像した画像データを複数の記録形式で記録可能な撮像装置であって、被写体像を撮像し、画像データを取得する撮像手段と、前記撮像手段の撮像条件を測定する測定手段と、前記測定手段の測定結果に基づいて前記撮像条件で前記撮像手段に撮像される画像データが危険であるか否かを判定する判定手段と、前記判定手段により前記撮像手段に撮像される画像データが危険であると判定された場合、前記複数の記録形式から非現像の記録形式を選択する選択手段と、前記選択手段により選択された記録形式で画像データを記録する記録手段と、を有することを特徴とする。
【発明の効果】
【０００７】
以上のように、本発明によれば、被写体などに応じて記録形式を自動的に選択することができる。
【図面の簡単な説明】
【０００８】
【図１】第１の実施形態における撮像装置の全体構成図。
【図２】第１の実施形態におけるカラー測光センサーの画素配置を説明するための図。
【図３】第１の実施形態における信号処理回路の内部構成の模式図。
【図４】第１の実施形態におけるマイクロコンピュータの制御の流れを説明する為の図。
【図５】本実施形態における記録形式の例を示した図。
【図６】第１の実施形態におけるファインダー内表示の図。
【図７】第２の実施形態における撮像装置の全体構成図。
【図８】第２の実施形態における信号処理回路の内部構成の模式図。
【図９】第２の実施形態におけるマイクロコンピュータの制御の流れを説明する為の図。
【図１０】第２の実施形態における外部表示装置の表示内容の図。
【発明を実施するための形態】
【０００９】
（第１の実施形態）
図１は、本実施形態を適用できる撮像装置の一例としてのカメラの構成を示している。図１において、１０はカメラ本体、３０はカメラ本体１０に着脱可能な交換レンズ装置である。カメラ本体１０と交換レンズ装置３０は不図示の接点により電気的に接続される。交換レンズ装置３０には、絞り３１が含まれる。
【００１０】
カメラ本体１０には、ミラー１１、シャッター１２、ＣＣＤなどからなる撮像素子１３が設けられ、撮影時には交換レンズ装置を通過した光が撮像素子１３に達するようにミラー１１が上部に跳ね上がるようになっている。撮像素子１３から出力された画像信号はＡＤ変換器１４でデジタル化され信号処理回路１５に入力される。信号処理回路１５では所定の信号処理が為され、外部表示装置１６に撮影された画像及び撮影時の撮像条件を表示する。また、信号処理回路１５は生成された画像データを記録媒体４１に記録することが出来る。なお、本実施形態では、１１〜１４の部材を合わせて、被写体像を撮像し、画像データを取得する撮像手段とする。
【００１１】
更に、カメラ本体１０には、拡散性を有するピント板２１、ペンタプリズム２２、使用者が被写体を観察する際に用いる接眼レンズ２３が含まれる。また、撮像時の周りの明るさを測定する測光センサー２４、ファインダー視野外に撮影情報を表示するファインダー内表示装置２５、ファインダー内表示装置からの光をファインダー視野外へ導き撮影者に各種の撮影情報を知らせる三角プリズム２６を有する。
【００１２】
マイクロコンピュータ１７は、レリーズスイッチ１８及び記録形式選択手段１９の状態を読み込み、更に測光センサー２４及び撮像素子１３からの信号により信号処理回路１５の信号処理の内容を決定する。本実施形態では、記録形式選択手段の選択結果によって異なる複数の記録形式の画像データを記録媒体４１に記録可能である。レリーズスイッチ１８は、撮影者の操作によって、未操作（ＳＷオフ）、半押し状態（ＳＷ１）、全押し状態（ＳＷ２）の３種類の状態を呈すことが出来る。
【００１３】
図２は、測光センサーの構成を示す模式図であり、赤（Ｒ）、緑（Ｇ）、青（Ｂ）のカラーフィルタが市松模様状に配されており、露光された各画素では光電変換がなされ、所定のタイミングで順次読み出される。
【００１４】
図３は、信号処理回路１５の内部処理を説明する為の図である。ＪＰＥＧ記録系信号処理回路５１、ＲＡＷ記録系信号処理回路５２は、インターフェース回路５５を通じてマイクロコンピュータ１７からの制御に従って、それぞれ所定の記録画素数及び圧縮率でＡＤ変換器１４からの画像信号を処理する。ＪＰＥＧ記録系信号処理回路５１では、撮像時に設定されたパラメータに基づいてγ変換やＷＢ補正といったいわゆる現像処理が行われている。一方、ＲＡＷ記録系信号処理回路５２では、ＪＰＥＧ記録系信号処理回路５１で行われている上述のような現像処理は施されず、非現像の画像データを出力する。
【００１５】
また、ＪＰＥＧ記録系信号処理５１及びＲＡＷ記録系信号処理５２で処理された画像信号は、記録・再生回路５３を通じて記録媒体４１及び表示回路５４に送られる。
【００１６】
図４は、マイクロコンピュータ１７の処理ステップを示したものである。まず、不図示の電源スイッチがオンされると（ステップＳ４０１）撮像シーケンスが開始される。ステップＳ４０２では操作者が撮影した画像をどのような形式で記録するかを記録形式選択手段１９によって選択する。記録形式選択手段１９では、操作者は記録形式を設定可能であるが、本実施形態では圧縮形式（ＪＰＥＧ、ＲＡＷ）、画像サイズ、圧縮率を手動設定ができる。具体的な例としては、図５−１に示すように圧縮形式としてＪＰＥＧを設定した場合は、画素数＝「大」又は「小」、圧縮率＝「大」又は「小」の組み合わせの４通りが設定可能である。また図５−２に示すように圧縮形式としてＲＡＷを選択した場合は、画素数＝「大」又は「小」の２通りの設定が出来る。更に操作者は、記録形式選択手段１９において、記録形式自動選択機能を有効にするか否かの設定が可能で、機能を有効にしておくと所定の撮影条件の下での記録は、手動選択された記録形式に加えてそれ以外の記録形式での記録が同時に為される。また、記録容量の節約という観点から、手動選択された記録形式に代わって、それ以外の記録形式での記録が為される仕様にしてもよい。
【００１７】
ステップＳ４０３では、レリーズスイッチ１８が半押し状態（ＳＷ１）又は全押し状態（ＳＷ２）のいずれかであるか否かを判定し、いずれでもない場合はステップＳ４０２へ、いずれかである場合はステップＳ４０４へ進む。ステップＳ４０４では、測光センサー２４（測定手段）からの測光センサー信号を読み込む。ステップＳ４０５では、測光センサー２４からの信号に基づき、絞り値、シャッター速度、ＩＳＯ感度などの露出制御値情報を算出し、絞り３１及びシャッター１２の制御の準備をする。ステップＳ４０６では、さらに、測光センサー信号から得られるヒストグラム、シーン認識の認識結果などの被写体情報と前述した露出制御値情報（測定結果）に基づき、現像後、本撮影で得られるであろう画像データを予測し、危険性を判定する。
【００１８】
ここで、現像後の画像データが危険であるとは、撮像された画像データが現像された場合、画像が一部若しくは全面的に破綻若しくは好ましくない状態になる可能性が高いということである。例えば、予測される画像データに白とび若しくは黒潰れのレベルの信号画素が含まれる割合や、予測される画像データが単一色で占められる割合や、予測される画像データがフリッカ性のある光源の元での撮影であるか否かを検出することなどで判定される。白とび若しくは黒つぶれは、測光センサー２４からの信号から検出されるヒストグラムから、本撮影において得られる画像データのレベルを予測することで判定できる。また、単一色で占められる割合は、同じく測光センサー２４からの測光センサー信号の色分布に基づいて判定できる。さらに、フリッカ性の光源の有無は、測光センサー２４の駆動方法（周波数・蓄積時間）とそのときに得られた出力信号の時間的な変動から判定できる。これに限らず、一般に現像後のデータへの信号処理で適切な画像に補正することが難しいとされる状態の度合いを測れるものなら本発明に適用可能である。
【００１９】
また、判定の基準となる所定値は、実験的または統計的に見て、ユーザーが得られた画像データに満足する度合いを判断して設定する。本実施形態では、白とび若しくは黒潰れに近い輝度レベルの信号画素が含まれる割合で判定するものとする。これは、測光センサー２４からの信号から算出される露出制御値との関係から、本撮影において得られる画像データのレベルを予測することで判定する。その結果、所定の信号レベルを超える画素が所定の割合よりも多い場合に危険だと判定する。ステップＳ４０７では、画像データが危険だという判定結果が出た場合にステップＳ４０２で操作者が選択した記録形式に加えて、非現像の記録形式を追加する。また画像データが危険だと判定された場合には、操作者が選択した記録形式をやめて、非現像の記録形式に変更するようにしてもよい。例えば、操作者が記録形式の選択を「圧縮形式＝ＪＰＥＧ、画素数＝大、圧縮率＝小」とし「自動記録形式＝有効」としていた場合に、Ｓ４０６において危険だと判定された場合、「圧縮形式＝ＲＡＷ、画素数＝大」の記録形式の変更または追加を行う。ここで「圧縮形式＝ＲＡＷ、画素数＝大」を記録形式として変更または追加するのは、ＲＡＷ圧縮の場合は上述したように非現像の記録形式であるため、撮影後の処理において階調表現の調整やホワイトバランスの調整などが可能だからである。結果、前述したような白とび黒潰れしやすい被写体や単一色であるがために撮像素子からの信号によるＡＷＢが困難な被写体を撮影した場合にも良好な画像を得ることができる。更に、ステップＳ４０７では上述したように記録形式が追加された場合に操作者にその旨を知らせる為の表示をする。図６は接眼レンズ２３を通して操作者がファインダーを覗いた時に見ることの出来る像の例であり、下部には撮影情報が表示されており左からシャッタースピード、絞り値、ＩＳＯ感度、記録形式の変更または追加、を意味する。本実施形態では、記録形式追加の場合は撮影情報表示領域の一番右側部に「逆三角」を表示し、記録形式を追加しない場合は一番右側部には何も表示しない。
【００２０】
ステップＳ４０８では、レリーズスイッチ１８が全押し状態（ＳＷ２）状態か否かを判定し、否の場合はステップＳ４０２に戻り、そうでない場合はステップＳ４０９へ進む。ステップＳ４０９では本撮影を行う。本撮影においては、ミラー１１を跳ね上げ、ステップＳ４０５で求められた絞り値情報を交換レンズ装置３０に対して出力する。交換レンズ装置３０では、受け取った絞り値情報に基づいて絞り３１を駆動し所定の絞り値に絞り込む。同時に、撮像素子１３の露光準備を進めそれが完了すると、ステップＳ４０５で求められたシャッタースピードでシャッター１２を駆動する。これにより、撮像素子１３の露光が終了し画像信号の読み出しが行われる。読み出された信号は、ＡＤ変換器１４を通ったあと、信号処理回路１５においてステップＳ４０７で決定された記録形式に従った処理が行われる。また、同時に、絞り３１を開放状態にし、ミラー１１を跳ね上げ前の位置に戻す。
【００２１】
ステップＳ４１０では、ステップＳ４０９で生成された画像を、記録媒体４１に記録する。更に、前述したように記録形式が自動選択された場合には手動選択された画像と自動選択された画像の少なくとも１つのメタデータ中に、自動選択が為された撮影である旨の撮影情報も記録される。そして、ステップ４０２へ戻り一連の撮影シーケンスが終了する。
【００２２】
以上説明したように、上記実施の形態によれば、一般に記録後の信号処理で適切な画像に補正することが難しいとされる被写体の状態であっても、その状態を判定し必要に応じて記録形式を変更または追加することが出来るので、失敗撮影を減らすことが出来る。
【００２３】
また、本実施形態では、記録形式の追加判定を本撮影前に行うので、本撮影自体のシーケンスを効率よく実行することができ、高速連写性能や連続撮影可能コマ数などの性能を比較的損なわずに撮影することが可能である。
【００２４】
また、本実施形態では、記録形式の追加判定を本撮影前に行い、追加する場合にはファインダー内にその旨の表示をするので、本撮影される画像の危険性を本撮影前に撮影者が知ることが出来る。従って、撮影者は、撮影環境などの見直しという行動も選択可能であったり、あるいはそのままの撮影環境で本撮影を続行しても撮影後の後処理の必要性の警告として受け止めることが出来る。
【００２５】
（第２の実施形態）
図７は、第２の実施形態を利用できる撮像装置の一例としてのカメラの構成を示している。図７において、図１と同一の番号を付したものは図１と同じであり、トリガースイッチ７１は所謂ライブビュー動作から静止画の本撮影を行う為のものであり、信号処理回路７２は信号処理回路１５に後述するいくつかの機能回路を加えたものである。
【００２６】
図８は、信号処理回路７２の内部処理を説明する為の図で、図３と同一の番号を付したものは図３と同じものである。画像をブロック状に分割しブロック毎に色・輝度情報を積分する為の色・輝度値検出回路５７、画像の所定の部分の色・輝度ヒストグラムを検出する色・輝度ヒストグラム検出回路５８、画面中のヒトの顔を検出する顔検出回路５９が追加されている。さらに、被写体を照明する光源の色温度を推定する為の色温度検出回路６０、新たな圧縮形式用の処理回路として、ＴＩＦＦ記録系信号処理回路５３が図３に追加されたものである。なお、ＴＩＦＦ記録系信号処理回路５３もＪＰＥＧ記録系信号処理回路５１と同様に現像処理を伴う処理を含む回路である。
【００２７】
図９は、マイクロコンピュータ１７の第２の実施形態における処理ステップを示したものである。まず、不図示の電源スイッチがオンされると（ステップＳ９０１）撮像シーケンスが開始される。ここで、ミラー１１は常に跳ね上げ状態にされ、シャッター１２は開口状態にされ、撮像素子１３からの信号を用いた露出制御処理及び、外部表示装置１６（表示手段）の表示画面に被写体像をモニターさせて逐次現像し、出力する所謂ライブビュー動作が開始する。
【００２８】
ステップＳ９０２では操作者が撮影した画像をどのような形式で記録するかを記録形式選択手段１９によって選択する。記録形式選択手段１９では、操作者は記録形式を設定できるが、本実施形態では圧縮形式（ＪＰＥＧ、ＴＩＦＦ、ＲＡＷ）、画像サイズ、圧縮率を手動設定ができる。具体的な例としては、図５−１に示すように圧縮形式としてＪＰＥＧを選択した場合は、画素数＝「大」又は「小」、圧縮率＝「大」又は「小」の組み合わせの４通りの設定可能である。また、図５−２に示すように圧縮形式としてＲＡＷを選択した場合は、画素数＝「大」又は「小」の２通りの設定が出来る。更に操作者は、記録形式選択手段１９において、記録形式自動選択機能を有効にするか否かの設定が可能で、機能を有効にしておくと所定の撮影条件の下での記録は、手動選択された記録形式に加えてそれ以外の記録形式での記録が同時に為される。
【００２９】
ステップＳ９０３では、色・輝度値検出回路５７、色・輝度ヒストグラム検出回路５８、顔検出回路５９、色温度検出回路６０が検出した画像パラメーターをそれぞれ取り込む。ステップＳ９０４では、ステップＳ９０３で得られた画像パラメーターに基づき露出制御値を算出し、本撮影時及びライブビュー時の、絞り３１及びシャッター１２及び、撮像素子１３の電子シャッター機能の制御の準備をする。ステップＳ９０５では、撮像素子１３（測定手段）からの画像データから得られるヒストグラム、シーン認識の認識結果などの被写体情報と露出制御値情報（測定結果）に基づき、現像後、本撮影で得られるであろう画像データを予測し、危険性を判定する。
【００３０】
ここで、現像後の画像データが危険であるとは、撮像された画像データが現像された場合、画像が一部若しくは全面的に破綻若しくは好ましくない状態になる可能性が高いということである。例えば、予測される画像データに白とび若しくは黒潰れのレベルの信号画素が含まれる割合や、予測される画像データが単一色で占められる割合や、予測される画像データがフリッカ性のある光源の元での撮影であるか否かを検出することなどで判定される。白とび若しくは黒つぶれは、測光センサー２４からの信号から算出される露出制御値との関係から、本撮影において得られる画像データのレベルを予測することで判定できる。また、単一色で占められる割合や、フリッカ性の光源の有無は、撮像素子１３からの画像データの色分布に基づいて判定できる。これに限らず、一般に現像後のデータへの信号処理で適切な画像に補正することが難しいとされる状態の度合いを測れるものなら本発明に適用可能である。
【００３１】
また、判定の基準となる所定値は、実験的または統計的に見て、ユーザーが得られた画像データに満足する度合いを判断して設定する。本実施形態では、危険であるか否かの判定として、白とび若しくは黒潰れに近い輝度レベルの信号画素が含まれる割合を用いるものとする。これは、測光センサー２４からの信号あるいは撮像素子１３からの信号からヒストグラムを検出し、露出制御値との関係から本撮影において得られる画像データのレベルを予測することで判定する。その結果、所定の信号レベルを越える画素が所定の割合よりも多い場合に危険だと判定する。本実施形態では、白とび若しくは黒潰れに近いレベルの信号画素が含まれる割合は、前記色・輝度ヒストグラム検出回路５８と前記露出制御値との関係から静止画の本撮影において得られる画像データのレベルを予測する。そして、所定の信号レベルを越える画素が占める割合が所定値より高い場合、危険だと判定する。他にも、前記顔検出回路５９により画像中のヒトの顔の位置や大きさを検出し、その顔の部分の明るさや色が所定の範囲にあるかどうかを演算する事により前記危険度を求める実施形態も可能である。
【００３２】
ステップＳ９０６では、危険度が所定の値を超えた場合にステップＳ９０２で操作者が選択した記録形式に加えて、非現像の記録形式を追加することができる。本実施形態では、操作者によって記録形式の選択が「圧縮形式＝ＪＰＥＧ、画素数＝大、圧縮率＝小」、さらに「自動記録形式＝有効」とされており、危険度が所定値よりも大きいと判断されたので、「圧縮形式＝ＲＡＷ、画素数＝大」の記録形式が追加される。更に、ステップＳ９０６では記録形式が追加された旨を知らせる為の表示をする。図１０は外部表示装置１６を操作者が覗いた時に見ることの出来る表示の例であり、上部には撮影情報が表示されており、各表示は左からシャッタースピード、絞り値、ＩＳＯ感度、記録形式追加の有無、を意味する。本実施形態では、記録形式追加の場合は撮影情報表示領域の一番右側部に「逆三角」を表示し、記録形式を追加しない場合は一番右側部には何も表示しない。
【００３３】
ステップＳ９０７では、ステップ９０４において決定されたライブビュー用露出制御を行い、同時に撮像素子１３からの信号を処理して外部表示装置１６に被写体像を表示する。ステップＳ９０８では、トリガースイッチ７１がオンされたか否かを判定し、否の場合はステップＳ９０２に戻り、オンにされている場合はステップＳ９０９へ進む。ステップＳ９０９では本撮影を行う。ステップＳ９０４で求められた絞り値、シャッタースピードで撮影をする。撮像素子１３の露光が終了すると画像信号の読み出しが行われる。読み出された信号は、ＡＤ変換器１４を通ったあと、信号処理回路１５においてステップＳ９０６で決定された記録形式に従った処理が行われる。
【００３４】
ステップＳ９１０では、ステップＳ９０９で生成された画像を、記録媒体４１に記録し、ステップＳ９０２へ戻る。
【００３５】
以上説明したように、上記実施形態によれば、一般に現像後の画像データへの信号処理により適切な画像に補正することが難しいとされる被写体の状態であっても、その状態を判定し記録形式を追加することが出来るので、失敗撮影を減らすことが出来る。
【００３６】
また、本実施形態では、危険性の判定を本撮影前に行うので、本撮影自体のシーケンスを効率よく実行することが出来るので、高速連写性能や連続撮影可能コマ数などの性能を損なわずに撮影することが可能である。更に、本発明においては画像データが危険であるか否かの判定において、前記色・輝度値検出回路５７、前記色・輝度ヒストグラム検出回路５８、前記顔検出回路５９、前記色温度検出回路６０の少なくとも１つを用いて前記撮像素子１３の出力信号の判定を行う。その為、所謂ライブビュー撮影によって測光センサーが使用出来ない場合にも、多彩な判定手段を用いる事が出来る。
【００３７】
また、本実施形態では、記録形式の追加判定を本撮影前に行い、追加する場合にはファインダー内にその旨の表示をするので、本撮影される画像の危険性を本撮影前に撮影者が知ることが出来る。従って、撮影者は、撮影環境などの見直しという行動も選択可能であったり、あるいはそのままの撮影環境で本撮影を続行しても撮影後の後処理の必要性の警告として受け止めることが出来る。
【００３８】
（他の実施形態）
本発明の目的は以下のようにしても達成できる。すなわち、前述した各実施形態の機能を実現するための手順が記述されたソフトウェアのプログラムコードを記録した記憶媒体を、システムまたは装置に供給する。そしてそのシステムまたは装置のコンピュータ（またはＣＰＵ、ＭＰＵ等）が記憶媒体に格納されたプログラムコードを読み出して実行するのである。
【００３９】
この場合、記憶媒体から読み出されたプログラムコード自体が本発明の新規な機能を実現することになり、そのプログラムコードを記憶した記憶媒体およびプログラムは本発明を構成することになる。
【００４０】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【００４１】
また、コンピュータが読み出したプログラムコードを実行可能とすることにより、前述した各実施形態の機能が実現される。さらに、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００４２】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【符号の説明】
【００４３】
１０  カメラ本体
１１  ミラー
１２  シャッター
１３  撮像素子
１４  ＡＤ変換器
１５  信号処理回路
１６  外部表示装置
１７  マイクロコンピュータ
１８  レリーズスイッチ
１９  記録形式選択手段
２１  ピント板
２２  ペンタプリズム
２３  接眼レンズ
２４  測光センサー
２５  ファインダ内表示装置
２６  三角プリズム
３０  交換レンズ装置
３１  絞り
４１  記録媒体
【図１】
2011044803.tif 000003
【図２】
2011044803.tif 000004
【図３】
2011044803.tif 000005
【図４】
2011044803.tif 000006
【図５】
2011044803.tif 000007
【図６】
2011044803.tif 000008
【図７】
2011044803.tif 000009
【図８】
2011044803.tif 000010
【図９】
2011044803.tif 000011
【図１０】
2011044803.tif 000012